(57)【要約】【課題】靴等に付着した泥や埃や水分等の付着物を払拭するフロアマットを出入口に対して敷設するにあたり、その払拭面をより有効的に活用することが可能なフロアマットの敷設構造及び敷設方法を提供する。【解決手段】フロアマット１が、出入口７の開口幅Ｗ０と略等しい長さを有する第１辺３と、該第１辺３と略平行を成し該第１辺３よりも大きい長さを有する第２辺４とを備えて成る略等脚台形状に形成されていて、上記第１辺３を上記出入口７の下枠８側に配して該下枠８の略全体に亘って沿わせた状態で、上記出入口７を挟んだ少なくとも一方の床面Ｆ上に敷設されている。【選択図】図２
2009247363.tif 000002
【特許請求の範囲】
【請求項１】
出入口に対するフロアマットの敷設構造であって、
上記フロアマットが、上記出入口の開口幅と略等しい長さを有する第１辺と、該第１辺と略平行で該第１辺よりも大きい長さを有する第２辺とを備えて成る略台形状に形成されていて、
該フロアマットが、その第１辺を上記出入口の下枠側に配し該下枠の略全体に亘って沿わせた状態で、該出入口を挟んだ少なくとも一方の床面上に敷設されている、
ことを特徴とするフロアマットの敷設構造。
【請求項２】
上記フロアマットが、略等脚台形状に形成されている、
ことを特徴とする請求項１に記載のフロアマットの敷設構造。
【請求項３】
上記フロアマットの第１辺の長さが約０．９ｍ〜１．８ｍである、
ことを特徴とする請求項１又は請求項２に記載のフロアマットの敷設構造。
【請求項４】
出入口に対するフロアマットの敷設方法であって、
上記フロアマットが、上記出入口の開口幅と略等しい長さを有する第１辺と、該第１辺と略平行で該第１辺よりも大きい長さを有する第２辺とを備えて成る略台形状に形成されていて、
該フロアマットを、その第１辺を上記出入口の下枠側に配し該下枠の略全体に亘って沿わせた状態で、該出入口を挟んだ少なくとも一方の床面上に敷設する、
ことを特徴とするフロアマットの敷設方法。
【請求項５】
上記フロアマットが、略等脚台形状に形成されている、
ことを特徴とする請求項４に記載のフロアマットの敷設方法。
【請求項６】
上記フロアマットの第１辺の長さが約０．９ｍ〜１．８ｍである、
ことを特徴とする請求項４又は請求項５に記載のフロアマットの敷設方法。
【発明の詳細な説明】
【技術分野】
【０００１】
本発明は、建物の玄関、室内又はエレベータ等の出入口に対する、靴等に付着した泥や埃や水分等を払拭するためのフロアマットの敷設構造及び敷設方法に関するものである。
【背景技術】
【０００２】
従来から、例えばレストランやオフィスビル内のテナント等の出入口に隣接する床面上には、訪問者の靴に付着した泥や埃や水分等を払拭する靴拭い用のフロアマットが敷設されており、建物内や室内にそれら付着物が持ち込まれるのを防止している。その際、この種のフロアマットは、図４に示すように、略長方形状に形成されており、その長手の一辺を上記出入口３１の下枠３２に沿わせて敷設するのが一般的である。
【０００３】
ところで、上記出入口３１を行き来する人の動線は、必ずしも出入口３１の下枠３２と直交する方向に対して直線的であるとは限らず、また、十分な付着物の払拭効果を得るためには、上記フロアマットを、実用上差し支えない範囲において、その上を通過する動線の長さができるだけ長くなるように配することが望ましい。したがって、従来のように略長方形状に形成されたフロアマットを用いて十分な付着物の払拭効果を得るためには、出入口３１の開口幅Ｗよりも十分に大きい幅Ｗ’のフロアマット３０を敷設する必要性があった。
【０００４】
その一方で、経験則上、上記出入口３１を行き来する人の動線は、出入口３１への侵入直前又は通過直後に左右に急激に曲がることは極めて稀であって、出入口３１の下枠３２と直交する方向に対して所定の角度範囲に限られる傾向にある。そのため、図４の斜線で示すフロアマット３０の両側に位置する三角形の側部領域３０ａ、３０ｂ，は、踏まれる頻度が極めて少ないのが実状である。
したがって、たとえ出入口３１の開口幅Ｗよりも十分に大きい幅Ｗ’のフロアマット３０を導入したとしても、このように大きな領域３０ａ，３０ｂが利用されずに無駄となってしまい、当該フロアマット３０の払拭面全体を十分に有効活用することができず、サイズに見合った払拭効果を得ることができなかった。
なお、本発明に関連する先行技術文献としては、以下の文献が挙げられる。
【特許文献１】特開昭６３−２６７３０６号公報
【発明の開示】
【発明が解決しようとする課題】
【０００５】
そこで、本発明の技術的課題は、靴等に付着した泥や埃や水分等の付着物を払拭するフロアマットを出入口に対して敷設するにあたり、その払拭面をより有効的に活用することが可能なフロアマットの敷設構造及び敷設方法を提供することにある。
【課題を解決するための手段】
【０００６】
上記課題を解決するための本発明は、出入口に対するフロアマットの敷設構造において、上記フロアマットが、上記出入口の開口幅と略等しい長さを有する第１辺と、該第１辺と略平行で該第１辺よりも大きい長さを有する第２辺とを備えて成る略台形状に形成されていて、該フロアマットが、その第１辺を上記出入口の下枠側に配し該下枠の略全体に亘って沿わせた状態で、該出入口を挟んだ少なくとも一方の床面上に敷設されていることを特徴とするものである。
【０００７】
上記フロアマットの敷設構造の具体的な実施形態においては、上記フロアマットが、略等脚台形状に形成されている。また、上記フロアマットの第１辺の長さが約０．９ｍ〜１．８ｍであることが好ましい。
【０００８】
更に、上記課題を達成するための本発明は、出入口に対するフロアマットの敷設方法において、上記フロアマットが、上記出入口の開口幅と略等しい長さを有する第１辺と、該第１辺と略平行で該第１辺よりも大きい長さを有する第２辺とを備えて成る略台形状に形成されていて、該フロアマットを、その第１辺を上記出入口の下枠側に配し該下枠の略全体に亘って沿わせた状態で、該出入口を挟んだ少なくとも一方の床面上に敷設することを特徴とするものである。
【０００９】
上記フロアマットの敷設方法の具体的な実施形態においては、上記フロアマットが、略等脚台形状に形成されている。また、上記フロアマットの第１辺の長さが、約０．９ｍ〜１．８ｍであることが好ましい。
【発明の効果】
【００１０】
本発明によれば、フロアマットにおける利用される頻度が極めて少ない無駄な領域を無くして、フロアマットの払拭面をより有効的に活用することができるため、従来の略長方形状のフロアマットを敷設する場合と比較して、同じ払拭効果をより小さいサイズのフロアマットで実現することが可能となる。したがって、フロアマットの原材料の使用量を抑えて製品価格を抑制することができるばかりでなく、クリーニング等のメンテナンスコストをも抑制することが可能となる。特に、上記フロアマットをレンタルする場合にあっては、従来と同じ払拭効果を実現することができるレンタルサービスを、環境に配慮したより低価格なサービスとして提供することが可能となる。
【発明を実施するための最良の形態】
【００１１】
図１は、本発明において使用するフロアマットの一例で、このフロアマット１は、建物の玄関、室内又はエレベータ等の出入口７に隣接した歩行に供する床面Ｆ上に敷設して、訪問者の靴等に付着した泥や埃等を拭払い、室内にこれら付着物が持ち込まれるのを防止するためのものである。上記フロアマット１は、従来のものと同様に、表層材として用いられるパイル糸が植設された基布と、この基布の裏面に積層接着されたゴムシートとから構成されている。上記基布とゴムシートとは互いに略同形同大に形成されており、上記基布側の面が、泥等を除去する拭払面２になっていて、上記ゴムシートが配された面が、床面Ｆに接触しフロアマット１のズレ動きを防止する面になっている。
【００１２】
上記フロアマット１は、四方を囲む４つの辺を有しており、上記出入口７の開口幅（すなわち、出入口７の下枠８の長さ）Ｗ０と略等しい長さＷ１を有する第１辺３と、該第１辺３と略平行で該第１辺３よりも大きい長さＷ２を有する第２辺４と、これら第１辺３及び第２辺４の対応する両端をそれぞれ結ぶ第３辺５及び第４辺６とを備えて成る略台形状に形成されている。具体的には、該フロアマット１においては、上記第１辺３及び第２辺４の中心を通る軸線Ｌがこれら各辺３，４と互いに直交していて、残りの第３辺５及び第４辺６が、互いに略同一の長さを有し上記第１辺３とそれぞれ略同一の角度α１，α２を成している。すなわち、該フロアマット１は、上記軸線Ｌに対して左右の形状が対象に形成された略等脚台形状に形成されている。
【００１３】
より具体的に説明すると、上記フロアマット１においては、上記第１辺３の長さＷ１が、出入口７の半間の開口幅Ｗ０に相当する約０．９ｍに形成されている。そして、この第１辺３と平行を成す上記第２辺４は、上記第１辺３よりも長い約１．５ｍの長さＷ２に形成されており、上記第３辺５及び第４辺６と互いに交わる両端部４ａ，４ｂにおいて、角部が若干丸められ略円弧状に形成されている。そして、台形の高さに相当するこれら２辺３，４間の距離Ｗ３は、約０．９ｍに形成されている。すなわち、当該フロアマット１は、１．２ｍ×０．９ｍの略長方形状に形成されたフロアマットとほぼ同じ面積を有している。
【００１４】
以下、本発明に係る実施形態について図面を参照しながら説明する。なお、以下に示す各実施形態においては、各図の出入口７の手前側が建物や部屋等の内側を表している。
図２は、本発明に係る第１の実施形態を示すものであって、上記フロアマット１を半間の開口幅Ｗ０を有する出入口７に敷設した状態を示している。上記出入口７は、互いに対向する一対の下枠８及び上枠９と、互いに対向する一対の左枠１０及び右枠１１とにより略矩形に開口しており、上記右枠１１には、室内側に開閉する開戸１２が蝶番等の部材により回動可能に取り付けられている。そして、上記フロアマット１が、その第１辺３を上記出入口７の下枠８側に配して該下枠８の略全体に亘って沿わせた状態、すなわち、上記第１辺３の両端部３ａ，３ｂを該出入口７の下枠８の両端部８ａ，８ｂとほぼ一致させた状態で、該出入口７を挟む床面のうち、室内側の床面Ｆ上に敷設されている。その結果、フロアマット１の払拭面２が、出入口７の下枠８から室内に向けて放射状に拡開するように床面Ｆを覆った状態となっている。
【００１５】
このように、略等脚台形状に形成された上記フロアマット１が、上記出入口７から遠ざかるにしたがって開口幅Ｗ０に略等しい幅Ｗ１から次第に幅広となるように敷設されているので、その拭払面２は、上記出入口７の下枠８と直交する方向に直進する人の動線が通る床面領域には勿論、該下枠８と直交する方向に対して緩やかな傾斜角度で直進したり、緩やかに曲線を描きながら行き来する人の動線が通る床面領域にも配された状態となっている。しかし、その一方で、図４の斜線部に対応する略三角形状を成す一対の側部床面領域については、人が通る頻度が極めて少ないため、上記払拭面２は配されていない。
換言すると、経験則上、出入口７を通って行き来する人が比較的頻繁に利用する動線について、払拭面２上を通過する長さを実用上必要十分に確保するのに必要とされる床面領域には、上記フロアマット１が敷設されるが、利用頻度が極めて少なくて踏まれる頻度が極めて少ない床面領域には、できる限りフロアマット１が敷設されないように構成されている。
【００１６】
以上に詳述したように、本実施形態によれば、出入口７の下枠８から室内側へ向けて、できるだけ利用頻度が比較的多い動線が通る角度方向のみにフロアマット１が敷設されるように構成したため、フロアマット１における利用される頻度が極めて少ない無駄な領域を無くして、フロアマット１の払拭面２をより有効的に活用することができる。よって、従来の略長方形状のフロアマットを敷設する場合と比較して、同じ払拭効果をより小さいサイズのフロアマット１で実現することが可能となる。本実施形態で例えれば、１．２ｍ×０．９ｍの略長方形状のフロアマットとほぼ同じ面積を有する上記フロアマット１によって、従来における１．５ｍ×０．９ｍの略長方形状のフロアマットと同等の払拭効果を得ることが可能となる。
【００１７】
したがって、フロアマット１の原材料の使用量を抑えて製品価格を抑制することができるばかりでなく、クリーニング等のメンテナンスコストをも抑制することが可能となる。特に、上記フロアマット１をレンタルする場合にあっては、従来と同じ払拭効果を実現することができるレンタルサービスを、環境に配慮したより低価格なサービスとして提供することが可能となる。また、一般的にフロアマットは、一定幅で長尺の帯状材料を順次同形に切断していくことにより大量生産されるが、上記フロアマット１は略台形状に形成されているため、従来の製造装置をそのまま利用することができるばかりでなく、製造過程において材料の無駄がほとんど発生しない。
【００１８】
なお、本実施形態のように出入口７に開戸１２が設けられている場合には、フロアマット１における第１辺３の端部３ｂの角度α２よりも開戸１２の開度を大きくすることが望ましい。そうすることにより、開戸１２の背面側にフロアマット１が配されないため、フロアマット１の払拭面２をより有効的に活用することが可能となる。
また、本実施形態においては、出入口７を挟む床面のうち、室内側の床面Ｆ上にフロアマット１が敷設されているが、それに限られるものではなく、室外側の床面上に敷設されていても良いのは勿論である。
【００１９】
次いで、図３に基づき本発明に係る第２の実施形態について説明する。ただし、ここでは説明の重複を避けるため、上記第１の実施形態と同じ構成部分及びそれに基づく作用効果については、図３に図１と同じ符号を付して詳細な説明を省略する。
本実施形態においては、図１のフロアマットを２枚利用し、これらフロアマット１，１を出入口７を挟んだ両方の床面Ｆ上にそれぞれ敷設している。また、上記出入口７には、左右にスライドさせて該出入口７を開閉する引戸１２Ａが設けられており、この引戸１２Ａの縦枠によって該出入口７の左枠１０が形成されている。すなわち、建物の一間の開口に上記引戸１２Ａを設けることにより、半間の開口幅Ｗ０を有する出入口７が形成されている。
【００２０】
そして、上記フロアマット１，１は、室内外の床面Ｆ上において、それらの第１辺３，３を上記出入口７の下枠８側に配して該下枠８の略全体に亘って沿わせた状態、すなわち、上記各第１辺３の両端部３ａ，３ｂを該出入口７の下枠８の両端部８ａ，８ｂとほぼ一致させた状態で、該出入口７を挟む室内外の床面Ｆ上に敷設されている。その結果、フロアマット１，１の払拭面２，２が、出入口７の下枠８から室内外に向けて放射状に拡開するように床面Ｆを覆った状態となっている。
【００２１】
本実施形態は、上記フロアマット１を利用するにあたり、出入口７を挟んだ床面Ｆのうち一方の床面Ｆ上に敷設するのみでは拭払効果が不十分である場合、例えば室外側が屋外に相当する場合等に特に好適である。このように、出入口７を挟んだ両方の床面Ｆ上に上記フロアマット１，１をそれぞれ敷設することにより、上記第１の実施形態のように１枚のフロアマット１を敷設した場合と比較して、より優れた拭払効果を得ることができる。
【００２２】
なお、上記各実施形態に係るフロアマット１においては、上記第１辺３の長さＷ１が半間に相当する約０．９ｍに形成されているが、開口幅Ｗ０が一間である場合には、これに合わせて約１．８ｍに形成され、同時に第２辺４の長さＷ２についても、これら２辺３，４間の距離Ｗ３や上記角度α１及びα２を勘案して、適宜の長さに形成される。
ただし、近年においては戸の幅寸法が多様化し、出入口７の開口幅Ｗ０が必ずしも一間又は半間であるとは限らないため、フロアマット１の第１辺３の長さＷ１についても約０．９ｍ又は約１．８ｍに限られるものではない。すなわち、上記第１辺３の長さＷ１は、上記開口幅Ｗ０と略等しい長さに形成されていさえすれば良く、一般的には約０．９ｍ以上約１．８ｍ以下の範囲において形成されるが、開口幅Ｗ０との関係において当該寸法範囲外の長さを採用することも勿論可能である。
【００２３】
また、上記フロアマット１は略等脚台形状に形成されているが、それに限られるものではなく、壁の位置や、戸の形態や、戸が開戸である場合にはその開角度等の諸事情に応じて、上記角度α１及びα２を互いに異なる適宜の角度に設定し、各敷設場所に好適な台形状に形成することも可能である。
【図面の簡単な説明】
【００２４】
【図１】本発明において使用するフロアマットの平面図である。
【図２】本発明の第１の実施形態を示す外観斜視図である。
【図３】本発明の第２の実施形態を示す外観斜視図である。
【図４】従来におけるフロアマットの敷設形態を示す外観斜視図である。
【符号の説明】
【００２５】
１    フロアマット
３    フロアマットの第１辺
４    フロアマットの第２辺
７    出入口
８    出入口の下枠
Ｆ    床面
Ｗ０  出入口の開口幅
Ｗ１  第１辺の長さ
Ｗ２  第２辺の長さ
【図１】
2009247363.tif 000003
【図２】
2009247363.tif 000004
【図３】
2009247363.tif 000005
【図４】
2009247363.tif 000006